(57)【要約】      （修正有）【課題】電車などの交通機関の車内で着席したときの傘の転倒防止と結果的な傘の置き忘れ防止のための傘収納手段を提供する。【解決手段】収納帯を、鞄／バッグの外側の底部に一体になって備える。雨の日に車中の椅子に座って、鞄やバッグをひざに乗せた状態で鞄やバッグ越しに濡れた傘を手で支える代わりに、鞄やバッグの底部に備えてある、裏にタッチ・クローズファスナーを取り付けた収納帯を左右からはがし、収納帯で濡れたかさを中心にして囲い込み、傘を安定した状態にして、タッチ・クローズファスナーを傘の向こう側で閉じ合わせる【選択図】図３
0003169890.tif 000002
【実用新案登録請求の範囲】
【請求項１】
傘の転倒防止のために用いる収納帯であって、鞄／バッグの外側の底部に一体になって備えられていることに特徴を有する収納帯。
【請求項２】
請求項１に記載のある収納帯であって、２枚を１組として構成され、ともに鞄の底部に固定された固定部と、一方の前記収納帯は裏側に雄型のタッチ・クローズファスナーを取り付けた着脱部を、他方の前記収納帯は，裏側に雌型タッチ・クローズファスナーを取り付けた着脱部を備え、普段は邪魔にならないように固定部が隣接した直線状態で、鞄／バッグの外側の底部に留められていることに特徴を有する収納帯。
【考案の詳細な説明】
【技術分野】
【０００１】
傘の収納手段に関する。
【背景技術】
【０００２】
電車などの車内で着席中に濡れた傘の置き場所に困り、手などで押さえつけなければならないという不都合を解消するための技術が公開されている（例えば、特許文献１を参照）。この特許文献１に記載されている技術によれば、プラスチック・木・金属で，傘の受け部分が作られ、他方磁石が組み込まれている。
【０００３】
多目的に使える外付収納具のついたバッグに関する技術が公開されている（例えば、特許文献２を参照）。この特許文献２に記載されている技術によれば、バッグの底部にマジックテープ（登録商標）の雌部を接続しておき、マジックテープの雄部を接続した別の繊維に用意し、座った状態で傘の先端を床に置き、傘をマジックテープの雄部を接続した繊維で挟み込む要領でバッグ底部マジックテープ雌部に傘の左右にて接着する。
【０００４】
さらに、傘たて機能つきバッグに関する技術が公開されている（例えば、特許文献３を参照）。この特許文献３に記載されている技術によれば、バッグ中央下部に基部プレートを設ける。
【先行技術文献】
【特許文献】
【０００５】
【特許文献１】実開平６−２９４７６公報（第７頁）
【特許文献２】特開２００２−２７２５１７号公報（第６頁）
【特許文献３】特開２００５−６６２６６号公報（第１頁）
【考案の概要】
【考案が解決しようとする課題】
【０００６】
鞄やバックを持って、雨の日に電車などの交通機関の車内で着席したとき、雨に濡れた傘の扱いは厄介である。通常はひざに置いた鞄越しに傘を支えることとなる。鞄の底部に立て掛けるだけでは、往々にして傘は転倒する。
【０００７】
着席した脇に手すりがあれば、それに引っ掛けることもあり、結果として、車内置忘れ傘が発生することにつながる。
【０００８】
本考案の目的は、鞄やバッグと傘とを持って車内で着席した時の，傘の転倒防止と結果的な傘の置き忘れ防止の手段を提供することにある。
【課題を解決するための手段】
【０００９】
上記問題を解決するために、請求項１に記載する考案は傘の転倒防止のために用いる収納帯であって、鞄／バッグの外側の底部に一体になって備えられていることを要旨とする。
【００１０】
上記問題を解決するために、請求項２に記載する考案は、請求項１に記載のある収納帯であって、２枚を１組として構成され、ともに鞄の底部に固定された固定部と、一方の前記収納帯は裏側に雄型のタッチ・クローズファスナーを取り付けた着脱部を、他方の前記収納帯は，裏側に雌型タッチ・クローズファスナーを取り付けた着脱部を備え、普段は邪魔にならないように固定部が隣接した直線状態で、鞄／バッグの外側の底部に留められていることを要旨とする。
【考案の効果】
【００１１】
本考案によれば、雨の日に車中の椅子に座って、鞄やバッグをひざに乗せた状態で鞄やバッグ越しに濡れた傘を手で支える代わりに、鞄やバッグの底部に備えてある、裏にタッチ・クローズファスナーを取り付けた収納帯を左右からはがし、収納帯で濡れたかさを中心にして囲い込み、傘を安定した状態にして、タッチ・クローズファスナーを傘の向こう側で閉じ合わせる。
【００１２】
本考案によれば、傘を直立支持することが出来る。
【００１３】
本考案によれば、収納帯は薄い平面体であるので、鞄やバックの底面形状に影響を与えずに、また鞄やバックの底面形状から影響を受けずに備え付けることができる。
【００１４】
本考案によれば、収納帯は、裏にタッチ・クローズファスナーを貼り付けることが可能で、柔軟であれば、布，革、ゴム、金属箔など材質は問わないので、外観的にも鞄やバッグに合わせて一体として備えることが出来る。
【図面の簡単な説明】
【００１５】
【図１】収納帯を取り付けた状態を示す鞄の外側底面図
【図２】収納帯の構造を示す鞄の側面図
【図３】収納帯の機能を示す鞄の側面図
【実施例】
【００１６】
本考案に係る実施例を、図に従って説明する。図１に示されるように、１組の収納帯が鞄の底部６０の中央部分に左右対照に、固定部２０を内向きに、着脱部３０と着脱部４０を外向きにして配置され、着脱部３０と着脱部４０の裏に取り付けてあるタッチ・クローズファスナーによって留まっている。
【００１７】
図２に示されるように、左着脱部３０の先端付近の裏側には雄型タッチ・クローズファスナー５１が取り付けられている。それに対応する雌型タッチ・クローズファスナー５２が鞄の底部６０に取り付けられている。一方、右着脱部４０の先端付近の裏側には、雌型タッチ・クローズファスナーが取り付けられている。それに対応する雄型タッチ・クローズファスナー５１が鞄の底部６０に取り付けられている。
【００１８】
図３に示されるように、直立状態の傘を収納するために、左着脱部３０は、雌型タッチ・クローズファスナー５２からはがされ、直立状態の傘を囲い込むように配置される。一方右着脱部４０は、雄型タッチ・クローズファスナー５１からはがされ、一度ねじってから直立状態の傘を囲い込むように配置される。こうすることで、左着脱部３０の先端に取り付けてある雄型タッチ・クローズファスナー５１と右着脱部４０の先端に取り付けてある雌型着脱部５２が相対する形でしっかりと接合することができ、傘は安定して収納される。
【符号の説明】
【００１９】
２０  鞄の底部への固定部
３０  左着脱部
４０  右着脱部
５１  雄型タッチ・クローズファスナー
５２  雌型タッチ・クローズファスナー
６０  鞄／バッグの底部
【図１】
0003169890.tif 000003
【図２】
0003169890.tif 000004
【図３】
0003169890.tif 000005
【手続補正書】
【提出日】平成23年6月16日(2011.6.16)
【手続補正１】
【補正対象書類名】実用新案登録請求の範囲
【補正対象項目名】全文
【補正方法】変更
【補正の内容】
【実用新案登録請求の範囲】
【請求項１】
傘の転倒防止のために用いる収納帯であって、２枚を１組として構成され、ともに鞄の底部に固定された固定部と、一方の前記収納帯は裏側に雄型のタッチ・クローズファスナーを取り付けた着脱部を、他方の前記収納帯は，裏側に雌型タッチ・クローズファスナーを取り付けた着脱部を備え、普段は邪魔にならないように固定部が隣接した直線状態で、鞄／バッグの外側の底部に留められており、鞄／バッグの外側の底部に一体になって備えられていることに特徴を有する収納帯。
【手続補正２】
【補正対象書類名】明細書
【補正対象項目名】０００９
【補正方法】変更
【補正の内容】
【０００９】
上記問題を解決するために、請求項１に記載する考案は、傘の転倒防止のために用いる収納帯であって、２枚を１組として構成され、ともに鞄の底部に固定された固定部と、一方の前記収納帯は裏側に雄型のタッチ・クローズファスナーを取り付けた着脱部を、他方の前記収納帯は，裏側に雌型タッチ・クローズファスナーを取り付けた着脱部を備え、普段は邪魔にならないように固定部が隣接した直線状態で、鞄／バッグの外側の底部に留められており、鞄／バッグの外側の底部に一体になって備えられていることを要旨とする。
【手続補正３】
【補正対象書類名】明細書
【補正対象項目名】００１０
【補正方法】削除
【補正の内容】